(57)【要約】【課題】本発明は、異なる移動通信事業者の携帯端末同士を内線接続する内線電話システムを提供し、内線電話システムの利便性を向上させることを目的とする。【解決手段】本発明に係る内線電話システムは、第１移動体通信網と接続可能な第１通信端末及び第２移動体通信網と接続可能な第２通信端末と、内線通信線網と接続される内線電話とを接続し、第１移動体通信網とＩＰ通信網を介して接続し、第２移動体通信網と電話通信網を介して接続する管理サーバと、第１通信端末、第２通信端末、及び、内線電話の内線番号情報を記憶する記憶部とを有し、記憶部に記憶された第１通信端末の内線番号情報を用いて、内線電話からの音声通信をＩＰ通信網を介して第１移動体通信網の第１通信端末と接続し、記憶部に記憶された第２通信端末の内線番号情報を用いて、内線電話からの音声通信を電話通信網を介して第２移動体通信網の第２通信端末と接続する。【選択図】図１
2016178383.tif 000002
【特許請求の範囲】
【請求項１】
第１事業者の第１移動体通信網と接続可能な第１通信端末及び第２事業者の第２移動体通信網と接続可能な第２通信端末と、内線通信線網と接続される内線電話とを接続するための内線電話システムであって、
第１移動体通信網とＩＰ通信網を介して接続し、第２事業者の第２移動体通信網と電話通信網を介して接続する管理サーバと、
第１通信端末、第２通信端末、及び、内線電話の内線番号情報を記憶する記憶部と、
前記管理サーバと接続され且つ内線通信網と接続する呼処理サーバと、を有し、
前記記憶部に記憶された第１通信端末の内線番号情報を用いて、内線電話からの音声通信をＩＰ通信網を介して第１移動体通信網の第１通信端末と接続し、
前記記憶部に記憶された第２通信端末の内線番号情報を用いて、内線電話からの音声通信を電話通信網を介して第２移動体通信網の第２通信端末と接続する、
ことを特徴とする内線電話システム。
【請求項２】
前記管理サーバは、
第１及び第２通信端末の位置情報を取得し、
第１及び第２通信端末から、前記記憶部に記憶された内線番号情報を用いて内線電話と接続する場合、前記取得した第１及び第２通信端末の位置情報を前記接続する内線電話に送信する、請求項１に記載の内線電話システム。
【請求項３】
前記接続する内線電話は、
前記受信した第１及び第２通信端末の位置情報に対応する位置にマークを重畳表示した地図画像を表示する地図表示部を有する、請求項２に記載の内線電話システム。
【請求項４】
第１通信端末の位置情報は、第１通信端末が有するＧＰＳ受信機が受信したＧＰＳ信号に基づく位置情報であり、第２通信端末の位置情報は、第２通信端末が有するＧＰＳ受信機が受信したＧＰＳ信号、及び無線通信基地局から受信した位置情報に基づく位置情報である、請求項２又は３に記載の内線電話システム。
【請求項５】
前記管理サーバは、前記電話通信網が輻輳している場合又は災害が発生している場合、前記取得した第１及び第２通信端末の位置情報を前記接続する内線電話に送信しない、請求項２〜４の何れか一項に記載の内線電話システム。
【請求項６】
前記管理サーバは、さらに第２のＩＰ通信網を介して第２移動体通信網と接続し、
前記管理サーバは、前記電話通信網が輻輳している場合又は災害が発生している場合、電話通信網をＩＰ通信網に代えて、前記内線電話からの音声通信を第２移動体通信網の第２通信端末と接続する、請求項１〜４の何れか一項に記載の内線電話システム。
【発明の詳細な説明】
【技術分野】
【０００１】
本発明は、内線電話システムに関する。
【背景技術】
【０００２】
近年、内線電話交換機（Private Branch eXchange、PBX）に接続された内線電話機とＩＰ（Internet Protocol）網に接続された電話機との通話を実現する内線電話システムが知られている。例えば、特許文献１には、ＰＢＸと、ＰＢＸに接続された内線電話機と、ＩＳＤＮ網とＰＢＸとの間に設置されたＩＮＳゲートウェイ装置とから構成される内線電話交換システムについて記載されている。
【０００３】
この内線電話交換システムでは、ＩＮＳゲートウェイ装置がＰＢＸに接続するとともにインターネット網に接続することにより、内線電話機は、インターネット電話を行うことができる。この場合、ＩＮＳゲートウェイ装置は、内線電話機から送信された音声信号をパケットデータに変換し、インターネット網を通じてインターネット電話を行う。
【先行技術文献】
【特許文献】
【０００４】
【特許文献１】特開２００５−５１５４９号公報
【発明の概要】
【発明が解決しようとする課題】
【０００５】
複数の通信事業者が、それぞれ引用文献１に示される内線電話システムを提供する場合、ある通信事業者の内線電話機を、別の通信事業者の内線電話機に内線接続することができなかった。
【０００６】
本発明は、このような課題を解決すべくなされたものであり、異なる移動通信事業者の携帯端末同士を内線接続する内線電話システムを提供し、内線電話システムの利便性を向上させることを可能とする。
【課題を解決するための手段】
【０００７】
本発明に係る内線電話システムは、第１事業者の第１移動体通信網と接続可能な第１通信端末及び第２事業者の第２移動体通信網と接続可能な第２通信端末と、内線通信線網と接続される内線電話とを接続するための内線電話システムであって、第１移動体通信網とＩＰ通信網を介して接続し、第２事業者の第２移動体通信網と電話通信網を介して接続する管理サーバと、第１通信端末、第２通信端末、及び、内線電話の内線番号情報を記憶する記憶部と、管理サーバと接続され且つ内線通信網と接続する呼処理サーバと、を有し、記憶部に記憶された第１通信端末の内線番号情報を用いて、内線電話からの音声通信をＩＰ通信網を介して第１移動体通信網の第１通信端末と接続し、記憶部に記憶された第２通信端末の内線番号情報を用いて、内線電話からの音声通信を電話通信網を介して第２移動体通信網の第２通信端末と接続する。
【０００８】
また、本発明に係る内線電話システムにおいて、管理サーバは、第１及び第２通信端末の位置情報を取得し、第１及び第２通信端末から、記憶部に記憶された内線番号情報を用いて内線電話と接続する場合、取得した第１及び第２通信端末の位置情報を接続する内線電話に送信することが好ましい。
【０００９】
また、本発明に係る内線電話システムにおいて、接続する内線電話は、受信した第１及び第２通信端末の位置情報に対応する位置にマークを重畳表示した地図画像を表示する地図表示部を有することが好ましい。
【００１０】
また、本発明に係る内線電話システムにおいて、第１通信端末の位置情報は、第１通信端末が有するＧＰＳ受信機が受信したＧＰＳ信号に基づく位置情報であり、第２通信端末の位置情報は、第２通信端末が有するＧＰＳ受信機が受信したＧＰＳ信号、及び無線通信基地局から受信した位置情報に基づく位置情報であることが好ましい。
【００１１】
また、本発明に係る内線電話システムにおいて、管理サーバは、電話通信網が輻輳している場合又は災害が発生している場合、取得した第１及び第２通信端末の位置情報を接続する内線電話に送信しないことが好ましい。
【００１２】
また、本発明に係る内線電話システムにおいて、管理サーバは、さらに第２のＩＰ通信網を介して第２移動体通信網と接続し、管理サーバは、電話通信網が輻輳している場合又は災害が発生している場合、電話通信網をＩＰ通信網に代えて、内線電話からの音声通信を第２移動体通信網の第２通信端末と接続することが好ましい。
【発明の効果】
【００１３】
本発明に係る内線電話システムは、異なる移動通信事業者の携帯端末同士を内線接続する内線電話システムを提供し、内線電話システムの利便性を向上させることが可能となる。
【図面の簡単な説明】
【００１４】
【図１】内線電話通信システム１の概略を説明するための模式図である。
【図２】携帯端末２の概略構成の一例を示す図である。
【図３】管理サーバ４の概略構成の一例を示す図である。
【図４】電話帳管理テーブルのデータ構造の一例を示す図である。
【図５】内線電話通信システム１の動作シーケンスの一例を示す図である。
【図６】内線電話通信システム１の動作シーケンスの一例を示す図である。
【図７】内線電話通信システム１の動作シーケンスの一例を示す図である。
【図８】内線電話通信システム１の動作シーケンスの一例を示す図である。
【図９】（ａ）は、接続要求画面９００の一例を示す図であり、（ｂ）は、電話帳検索画面９１０の一例を示す図である。
【図１０】電話帳検索結果画面１０００の一例を示す図である。
【図１１】（ａ）は、編集画面１１００の一例を示す図であり、（ｂ）は、新規登録画面１１１０の一例を示す図である。
【図１２】変更選択画面１２００の一例を示す図である。
【図１３】携帯端末２’の概略構成の他の一例を示す図である。
【図１４】管理サーバ４’の概略構成の一例を示す図である。
【図１５】地図表示画面１５００の一例を示す図である。
【図１６】複数の移動通信事業者Ａ，Ｂ及びＣ毎の内線電話システム１６０１ａ，１６０１ｂ及び１６０１ｃの一例を示す模式図である。
【発明を実施するための形態】
【００１５】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１６】
図１６は、複数の移動通信事業者Ａ，Ｂ及びＣが、それぞれ内線電話システム１６０１ａ，１６０１ｂ及び１６０１ｃを構築したと仮定した場合の模式図である。複数の移動通信事業者Ａ，Ｂ及びＣが提供する内線電話システム１６０１ａ，１６０１ｂ及び１６０１ｃを使用する企業毎に、企業ＰＢＸ１６１２が設置される。企業ＰＢＸ１６１２は、固定内線電話１６１３と接続し、且つ、内線電話システム１６０１ａ，１６０１ｂ及び１６０１ｃと接続する。また、内線電話システム１６０１ａ，１６０１ｂ及び１６０１ｃは、各事業者の移動体通信網１６０７ａ，１６０７ｂ及び１６０７ｃに接続する携帯端末１６０２ａ，１６０２ｂ及び１６０２ｃを、内線電話として用いる。携帯端末１６０２ａ，１６０２ｂ及び１６０２ｃは、移動体通信網１６０７ａ，１６０７ｂ及び１６０７ｃ内の基地局１６０８、交換機１６０９及びＭＧＷ（Media GateWay）１６１０を介して内線電話システム１６０１ａ，１６０１ｂ及び１６０１ｃと接続される。
【００１７】
携帯端末１６０２ａ，１６０２ｂ及び１６０２ｃには、固有の内線番号が対応付けられる。携帯端末１６０２ａ，１６０２ｂ及び１６０２ｃは、移動体通信網１６０７ａ，１６０７ｂ及び１６０７ｃ、内線電話システム１６０１ａ，１６０１ｂ及び１６０１ｃ、並びに企業ＰＢＸ１６１２を介して固定内線電話１６１３と内線通話する。また、携帯端末１６０２ａ，１６０２ｂ及び１６０２ｃは、移動体通信網１６０７ａ，１６０７ｂ及び１６０７ｃ、内線電話システム１６０１ａ，１６０１ｂ及び１６０１ｃを介して他の携帯端末１６０２ａ，１６０２ｂ及び１６０２ｃと内線通話する。この構成により、各移動通信事業者が提供する内線電話システムによって、各移動通信事業者の携帯端末が内線電話として使用することができる。
【００１８】
一方、図１６に示す内線電話システムにおいては、ある企業において、複数の移動通信事業者の携帯端末を使用する場合、異なる移動通信事業者の携帯端末同士を内線接続することはできない。
【００１９】
本発明では、複数の移動通信事業者の携帯端末を、内線電話機として使用することができ、異なる移動通信事業者の携帯端末同士を内線接続する内線電話システムであり、以下に、本発明の実施形態について説明する。
【００２０】
［第１実施形態］
図１は、内線電話通信システム１の概略を説明するための模式図である。
【００２１】
内線電話通信システム１は、移動通信事業者Ａが提供する内線電話システム３を有する。内線電話システム３は、内線通信網１１内の企業ＰＢＸ１２及び固定内線電話１３と接続するとともに、移動通信事業者Ａ，Ｂ及びＣの移動体通信網７ａ，７ｂ及び７ｃと接続する。企業ＰＢＸ１２及び固定内線電話１３は、移動通信事業者Ａが内線電話システム３を提供する企業内に設置される。移動体通信網７ａ，７ｂ及び７ｃ内には、それぞれ、少なくとも１台の携帯端末２ａ，２ｂ及び２ｃと、基地局８と、交換機９と、ゲートウェイ１０とが含まれる。移動体通信網７ａ，７ｂ及び７ｃは、それぞれ移動通信事業者Ａ，Ｂ及びＣによって運営及び管理される。
【００２２】
なお、複数の携帯端末２ａ，２ｂ及び２ｃは、同様の構成を有する端末である。以下では、携帯端末２ａ，２ｂ及び２ｃを、それぞれ携帯端末２と称する場合がある。また、移動体通信網７ａ，７ｂ及び７ｃを、それぞれ移動体通信網７と称する場合がある。
【００２３】
交換機９は、移動通信事業者毎に複数設置され、コアネットワーク等の通信ネットワークを介して相互に接続される。交換機９は、ある地域をカバーする無線通信ネットワークを通信ネットワークに接続する。基地局８は、交換機９に接続され、無線通信ネットワークがカバーする地域の複数の無線ゾーンをそれぞれ管理するために複数設置される。そして、携帯端末２は、基地局８を介して交換機９に接続されて、管理サーバ４と制御信号等の通信を行う。また、携帯端末２は、基地局８を介してゲートウェイ１０に接続されて、管理サーバ４と音声通信を行う。固定内線電話１３は、企業ＰＢＸ１２を介して呼処理サーバ５と接続されて、管理サーバ４に接続される。
【００２４】
内線電話システム３は、管理サーバ４、呼処理サーバ５及びデータベース６を有する。管理サーバ４は、携帯端末２との通信の接続を確立するための認証処理、接続が確立された携帯端末２からの電話帳検索要求に対する電話帳検索処理、並びに、携帯端末２間又は携帯端末２と固定内線電話１３との間の内線接続処理等を実行する。管理サーバ４は、パーソナルコンピュータ（ＰＣ）１４からの電話帳編集要求に応じて、後述するデータベース６に記憶する電話帳管理テーブルを読み出し、電話帳管理テーブルに対して、データの追加、データの削除又はデータの変更を実行する。ＰＣ１４は、移動通信事業者Ａが内線電話システム３を提供する企業内に設置され、例えば、当該企業の人事担当職員によって電話帳管理テーブルのメンテナンスを目的として操作される。
【００２５】
呼処理サーバ５は、呼制御プロトコルであるＳＩＰ（Session Initiation Protocol）を用いて内線呼制御及び外線呼制御を実行する。特に、内線通信網１１と管理サーバ４を接続し、内線通信網１１内の固定内線電話１３と携帯端末２ｂ、２ｃとの通信を制御する。
【００２６】
データベース６は、内線電話通信システム１に加入しているユーザのユーザ情報を記憶し、携帯端末２の内線電話を管理する電話帳管理テーブルを記憶する。ユーザ情報には、各ユーザ毎に、ユーザＩＤ、プロファイル管理、認証用情報、現在位置情報が含まれる。なお、電話帳管理テーブルについては、後述する。
【００２７】
内線電話システム３の管理サーバ４は、当該内線電話システム３を管理及び運営する移動通信事業者Ａとは異なる移動通信事業者Ｂ及びＣの移動体通信網７ｂ及び７ｃ内のゲートウェイ１０と、ＩＰ通信網１５を介して接続される。一方、管理サーバ４は、移動通信事業者Ａの移動体通信網７ａ内のゲートウェイ１０及び内線通信網１１内の企業ＰＢＸ１２と、電話通信網１６を介して接続される。
【００２８】
携帯端末２で実行されるプログラム（例えば、内線電話プログラム）と、管理サーバ４で実行されるプログラム（例えば、認証プログラム）とは、ＩＰｓｅｃ（Security Architecture for Internet Protocol）等の通信プロトコルを用いて通信を行う。また、ＰＣ１４で実行されるプログラム（例えば、電話帳編集要求プログラム）と、管理サーバ４で実行されるプログラム（例えば、電話帳編集プログラム）とは、ハイパーテキスト転送プロトコル（Hypertext Transfer Protocol, HTTP）等の通信プロトコルを用いて通信を行う。
【００２９】
このように、移動通信事業者Ｂ，Ｃの移動体通信網７ｂ，７ｃと接続可能な携帯端末２ｂ，２ｃ及び移動通信事業者Ａの移動体通信網７ａと接続可能な携帯端末２ａと、内線通信網１１と接続される固定内線電話１３とを接続するための内線電話システム３において、移動体通信網７ｂ，７ｃとＩＰ通信網１５を介して接続し、移動体通信網７ａと電話通信網１６を介して接続する管理サーバ４と、携帯端末２ａ，２ｂ及び２ｃ、並びに、固定内線電話１３の内線番号情報を記憶するデータベース６と、管理サーバ４と接続され且つ内線通信網１１と接続する呼処理サーバ５と、を有し、データベース６に記憶された携帯端末２ｂ，２ｃの内線番号情報を用いて、固定内線電話１３からの音声通信を、ＩＰ通信網１５を介して移動体通信網７ｂ，７ｃの携帯端末２ｂ，２ｃと接続し、データベース６に記憶された携帯端末２ａの内線番号情報を用いて、固定内線電話１３からの音声通信を電話通信網１６を介して移動体通信網７ａの携帯端末２ａと接続するように構成することによって、異なる移動通信事業者の携帯端末同士を内線接続する内線電話システムを提供し、内線電話システムの利便性を向上させることが可能となる。
【００３０】
図２は、携帯端末２の概略構成の一例を示す図である。
【００３１】
携帯端末２は、他の携帯端末２又は固定内線電話１３と接続し、ユーザ間の内線通話を可能とするとともに、無線ＬＡＮによる通信機能を有する通信装置である。携帯端末２は、例えば携帯電話（所謂「フィーチャーフォン」）、多機能携帯電話（所謂「スマートフォン」）、携帯情報端末（Personal Digital Assistant, PDA）、携帯ゲーム機、携帯音楽プレーヤ、タブレットＰＣ等である。また、携帯端末２は、管理サーバ４に接続し、電話帳管理テーブルから所望の情報を検索する電話帳検索要求を行うとともに、管理サーバ４に他の携帯端末２又は固定内線電話１３との通信の確立を要求する。そのために、携帯端末２は、第１端末通信部２１と、第２端末通信部２２と、端末記憶部２３と、操作部２４と、表示部２５と、音声処理部２６と、マイク２７と、スピーカ２８と、端末処理部２９とを有する。
【００３２】
第１端末通信部２１は、主に２．４ＧＨｚ帯、５ＧＨｚ帯等を感受帯域とするアンテナを含む、通信インターフェース回路を有し、基地局８との間でＩＥＥＥ８０２．１１規格の無線通信方式に基づいて無線通信を行う。そして、第１端末通信部２１は、基地局８から受信したデータを端末処理部２９に供給する。また、第１端末通信部２１は、端末処理部２９から供給されたデータを基地局８に送信する。
【００３３】
第２端末通信部２２は、主に２．１ＧＨｚ帯を感受帯域とするアンテナを含む、通信インターフェース回路を有し、携帯端末２を携帯電話ネットワークに接続する。第２端末通信部２２は、基地局８により割り当てられるチャネルを介して、基地局８との間でＣＤＭＡ（Code Division Multiple Access）方式等による無線信号回線を確立し、基地局８との間で通信を行う。そして、第２端末通信部２２は、基地局８から受信したデータを端末処理部２９に供給する。また、第２端末通信部２２は、端末処理部２９から供給されたデータを基地局８に送信する。
【００３４】
端末記憶部２３は、例えば、半導体メモリを有する。端末記憶部２３は、端末処理部２９での処理に用いられるドライバプログラム、オペレーティングシステムプログラム、アプリケーションプログラム、データ等を記憶する。例えば、端末記憶部２３は、ドライバプログラムとして、第１端末通信部２１を制御する無線通信デバイスドライバプログラム、第２端末通信部２２を制御する携帯電話通信デバイスドライバプログラム、操作部２４を制御する入力デバイスドライバプログラム、表示部２５、音声処理部２６、マイク２７及びスピーカ２８を制御する出力デバイスドライバプログラム、内線電話通信システム１における携帯端末２の各種機能を実現する内線電話プログラム等を記憶する。
【００３５】
また、端末記憶部２３は、オペレーティングシステムプログラムとして、ＩＥＥＥ８０２．１１規格の無線通信方式を実行する接続制御プログラム、携帯端末の接続制御プログラム等を記憶する。また、端末記憶部２３は、アプリケーションプログラムとして、ウェブページの取得及び表示を行うウェブブラウザプログラム、電子メールの送信及び受信を行う電子メールプログラム等を記憶する。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて端末記憶部２３にインストールされてもよい。
【００３６】
操作部２４は、携帯端末２の操作が可能であればどのようなデバイスでもよく、例えば、タッチパネル式の入力装置、キーパッド等である。ユーザは、このデバイスを用いて、文字、数字等を入力することができる。操作部２４は、ユーザにより操作されると、その操作に対応する信号を発生する。そして、発生した信号は、ユーザの指示として、端末処理部２９に入力される。
【００３７】
表示部２５は、出力部の一例であり、動画像、静止画像等の出力が可能であればどのようなデバイスでもよく、例えば、タッチパネル式の表示装置、液晶ディスプレイ、有機ＥＬ（Electro−Luminescence）ディスプレイ等である。表示部２５は、端末処理部２９から供給される動画像データに応じた動画像、静止画像データに応じた静止画像等を出力する。
【００３８】
音声処理部２６は、マイク２７に入力される音声信号及びスピーカ２８から出力される音声信号の処理を実行する。
【００３９】
端末処理部２９は、一又は複数個のプロセッサ及びその周辺回路を有する。端末処理部２９は、携帯端末２の全体的な動作を統括的に制御するものであり、例えば、ＣＰＵ（Central Processing Unit）である。端末処理部２９は、携帯端末２の各種処理が端末記憶部２３に記憶されているプログラム、操作部２４の操作等に応じて適切な手順で実行されるように、第１端末通信部２１、第２端末通信部２２、表示部２５、音声処理部２６等の動作を制御する。端末処理部２９は、端末記憶部２３に記憶されているプログラム（ドライバプログラム、オペレーティングシステムプログラム、アプリケーションプログラム等）に基づいて処理を実行する。
【００４０】
特に、端末記憶部２３には、内線電話プログラムが記憶されており、端末処理部２９が、内線電話プログラムを読み出して実行することで、内線電話通信システム１における携帯端末２の各種機能（電話帳検索、内線接続等）が実現される。また、内線電話プログラムには、管理サーバ４のＩＰアドレス、共通鍵、及び携帯端末２毎にそれぞれ異なる内線電話プログラム識別情報が組み込まれている。なお、端末処理部２９は、複数のプログラム（アプリケーションプログラム等）を並列に実行することができる。
【００４１】
端末処理部２９は、閲覧実行部２９１と、要求送信部２９２と、暗号化処理部２９３とを有する。端末処理部２９が有するこれらの各部は、端末処理部２９が有するプロセッサ上で実行されるプログラムによって実装される機能モジュールである。あるいは、端末処理部２９が有するこれらの各部は、独立した集積回路、マイクロプロセッサ、又はファームウェアとして携帯端末２に実装されてもよい。
【００４２】
図３は、管理サーバ４の概略構成の一例を示す図である。
【００４３】
管理サーバ４は、内線電話システム３の制御及び管理を実行するコンピュータの一例である。管理サーバ４は、携帯端末２との通信の接続を確立するための認証処理、接続が確立された携帯端末２からの電話帳検索要求に対する電話帳検索処理、並びに、携帯端末２間又は携帯端末２と固定内線電話１３との間で内線接続する処理等を実行する。そのために、管理サーバ４は、電話通信網接続部４１と、ＩＰ網接続部４２と、記憶部４３と、処理部４４と、通信制御部４５とを備える。
【００４４】
電話通信網接続部４１は、管理サーバ４を電話通信網１６に接続するための通信インターフェース回路を有する。電話通信網接続部４１は、携帯端末２ａから移動体通信網７ａ及び電話通信網１６を介して送信された音声信号を受信し、電話通信網１６及び移動体通信網７ａを介して携帯端末２ａに音声信号を送信する。また、企業ＰＢＸ１２及び電話通信網１６を介して固定内線電話１３と音声信号を送受信する。
【００４５】
ＩＰ網接続部４２は、管理サーバ４をＩＰ通信網１５に接続するための通信インターフェース回路を有する。ＩＰ網接続部４２は、携帯端末２ｂ，２ｃから移動体通信網７ｂ，７ｃ及びＩＰ通信網１５を介して送信された音声パケットを受信し、ＩＰ通信網１５及び移動体通信網７ｂ，７ｃを介して携帯端末２ｂ，２ｃに音声パケットを送信する。また、携帯端末２ａ，２ｂ及び２ｃ並びにＰＣ１４からＩＰ通信網１５を介して受信したデータを、処理部４４に渡す（携帯端末２ａと管理サーバ４との間のＩＰ通信網は図示せず。）。また、ＩＰ網接続部４２は、処理部４４から受け取ったデータを、携帯端末２ａ，２ｂ及び２ｃ並びにＰＣ１４にＩＰ通信網を介して送信する。
【００４６】
記憶部４３は、例えば、半導体メモリ、磁気ディスク装置、又は光ディスク装置のうちの少なくとも何れか一つを有する。記憶部４３は、処理部４４での処理に用いられるアプリケーションプログラム、データ等を記憶する。さらに、記憶部４３は、所定の処理に係る一時的なデータを、一時的に記憶してもよい。
【００４７】
処理部４４は、１個または複数個のプロセッサ及びその周辺回路を有する。処理部４４は、管理サーバ４の全体的な動作を統括的に制御する処理部、例えばＣＰＵである。即ち、処理部４４は、管理サーバ４の各種の処理が記憶部４３に記憶されているソフトウェア等に応じて適切な手順で実行されるように、ＩＰ網接続部４２等の動作を制御する。処理部４４は、記憶部４３に記憶されているプログラム（オペレーティングシステムプログラム、アプリケーションプログラム等）に基づいて処理を実行する。また、処理部４４は、複数のプログラム（アプリケーションプログラム、ソフトウェア等）を並列で実行することができる。
【００４８】
処理部４４は、制御部４４１と、接続要求処理部４４２と、電話帳検索部４４３と、内線接続部４４４とを有する。処理部４４が有するこれらの各部は、処理部４４が有するプロセッサ上で実行されるアプリケーションプログラムにより実装される機能モジュールである。あるいは、処理部４４が有するこれらの各部は、ファームウェアとして管理サーバ４に実装されてもよい。
【００４９】
通信制御部４５は、１個または複数個のプロセッサ及びその周辺回路を有する。通信制御部４５は、電話通信網接続部４１を介して送受信する音声信号及びＩＰ網接続部４２を介して送受信する音声パケットを制御するＣＰＵであっても、ハードウェアモジュールであってもよい。
【００５０】
通信制御部４５は、音声変換部４５１と、接続先制御部４５２とを有する。音声変換部４５１は、電話通信網接続部４１を介して受信した音声信号を、ＩＰ通信網１５を介して送信する場合には、音声パケットに変換し、ＩＰ網接続部４２を介して受信した音声パケットを、電話通信網接続部４１を介して送信する場合には、音声信号に変換する。
【００５１】
接続先制御部４５２は、後述する内線接続処理において、着呼側の装置が、携帯端末２ａ，２ｂ及び２ｃ並びに固定内線電話１３の何れかであるのかを、接続要求に基づいて判断して着呼側の装置に接続する処理を行う。
【００５２】
以下、図４に示す電話帳管理テーブルの詳細について説明する。
【００５３】
図４は、データベース６が記憶する電話帳管理テーブルのデータ構造の一例を示す図である。電話帳管理テーブルには、各携帯端末２について、ユーザＩＤ、内線番号、本社／支社、所属、氏名及び外線電話番号が互いに関連付けて記憶される。
【００５４】
ユーザＩＤは、各携帯端末を所有するユーザを一意に識別するための識別情報である。内線番号は、内線電話通信システム１において用いられる各携帯端末２に対応する内線電話番号である。本社／支社は、内線電話通信システム１を使用する企業において、ユーザが所属する本社、支社、支店又はグループ会社等を識別するための識別情報である。所属は、内線電話通信システム１を使用する企業において、ユーザが所属する組織を識別するための識別情報である。この識別情報は、例えば、本社であれば、経営本部、営業本部、企画本部及び開発本部等を識別するための識別情報が含まれ、各本部を更に細分する部署（課及び係）を識別するための識別情報を含むようにしてよい。氏名は、ユーザの氏名である。外線電話番号は、各携帯端末２に対応する外線電話番号である。
【００５５】
図５は、内線電話通信システム１の動作シーケンスの一例を示す図である。図５に示す動作シーケンスは、携帯端末２と管理サーバ４との接続処理、及び、電話帳検索処理の一例である。
【００５６】
以下に説明する動作シーケンスは、携帯端末２及び管理サーバ４において、予め各装置の記憶部に記憶されているプログラムに基づき主に各装置の制御部により各装置の各要素と協働して実行される。
【００５７】
最初に、携帯端末２の閲覧実行部２９１は、携帯端末２のユーザの指示に従って、接続要求画面を表示部２５に表示する（ステップＳ１０１）。接続要求画面の表示処理は、端末処理部２９が有するプロセッサが端末記憶部２３に記憶されている内線電話プログラムを読み込むことで、プロセッサにより実行される。
【００５８】
ここで、図９（ａ）に示す接続要求画面９００について説明する。接続要求画面９００には、内線電話システム３の管理サーバ４に対して接続を要求するための接続要求ボタン９０１が表示される。
【００５９】
図５の説明に戻り、次に、ユーザ操作により、携帯端末２の操作部２４を介して接続要求ボタン９０１が指定されると、要求送信部２９２は、第１端末通信部２１を介して管理サーバ４に接続要求を送信する（ステップＳ１０２）。要求送信部２９２は、端末処理部２９のプロセッサが内線電話プログラムを実行する際に、内線電話プログラムから管理サーバ４のＩＰアドレス及び内線電話プログラム識別情報を取得する。要求送信部２９２は、携帯端末２の外線電話番号、パスワード及び内線電話プログラム識別情報を含む接続要求を、取得したＩＰアドレスに基づいて管理サーバ４に送信する。
【００６０】
管理サーバ４の接続要求処理部４４２は、ＩＰ網接続部４２を介して接続要求を携帯端末２から受信する。接続要求処理部４４２は、接続要求を受信すると、接続要求に含まれる外線電話番号、パスワード及び内線電話プログラム識別情報を取得する。そして、接続要求処理部４４２は、取得した外線電話番号、パスワード及び内線電話プログラム識別情報を含む認証要求を、データベース６に送信する（ステップＳ１０３）。
【００６１】
データベース６において、認証要求に含まれる外線電話番号及びパスワードが、互いに対応付けられて記憶され、且つ、内線電話プログラム識別情報が記録された正規のものである場合は、外線電話番号を含む証明書を作成する（ステップＳ１０４）。データベース６は、作成した証明書を管理サーバ４に送信する（ステップＳ１０５）。
【００６２】
管理サーバ４の接続要求処理部４４２は、データベース６から証明書を受信すると、ＩＰ網接続部４２を介して、鍵を含む証明書を、接続要求を送信した携帯端末２に送信する（ステップＳ１０６）。
【００６３】
携帯端末２の暗号化処理部２９３は、第１端末通信部２１を介して管理サーバ４から証明書を受信すると、端末記憶部２３に記憶された内線電話プログラムに組み込まれた共通鍵を取得する。暗号化処理部２９３は、証明書に含まれる鍵を、取得した共通鍵を用いて暗号化する（ステップＳ１０７）。
【００６４】
暗号化処理部２９３は、暗号化された鍵を、第１端末通信部２１を介して管理サーバ４に送信する（ステップＳ１０８）。
【００６５】
管理サーバ４の接続要求処理部４４２は、暗号化された鍵を受信すると、記憶部４３に記憶されている共通鍵を用いて、鍵を復号し、鍵が真なるものであるか否か判定する。鍵が真なるものである場合、接続要求処理部４４２は、認証が成功したと判定し、携帯端末２と管理サーバ４との通信（仮想パス）を確立する（ステップＳ１０９）。以後、携帯端末２と管理サーバ４との通信は、ＩＰパケット全体に対してトンネリングが施され、新たなＩＰヘッダを付加して送信する。その際には、ＩＰパケット全体が、共通鍵で暗号化される。
【００６６】
通信が確立すると、端末装置２の閲覧実行部２９１は、電話帳検索画面を表示部２５に表示する（ステップＳ１１０）。ここで、図９（ｂ）に示す電話帳検索画面９１０について説明する。電話帳検索画面９１０には、通信確立表示９１１、通信確立マーク９１２、キー部９１３、検索テキストボックス９１４及び検索開始ボタン９１５が表示される。
【００６７】
通信確立表示９１１は、通信が確立されたことを示す表示であり、接続要求画面９００において表示された接続要求ボタン９０１の位置に表示される。通信確立マーク９１２は、通信確立表示９１１と同様に、通信が確立されたことを示すマークである。キー部９１３には、１〜９、＊、０（ゼロ）及び＃が表示されたキーが含まれる。ユーザ操作により操作部２４を介してキー部９１３の各キーが指定されたことに応じて、各キーに対応した文字列が入力される。なお、キー部９１３の各キーと文字列との対応関係は、携帯電話及び多機能携帯電話等において公知の対応関係を用いる。
【００６８】
検索テキストボックス９１４には、ユーザ操作により操作部２４を介してキー部９１３の各キーが指定されたことに応じて入力された文字列が表示される。また、検索テキストボックス９１４内の右端に、検索開始ボタン９１５が表示される。ユーザ操作により操作部２４を介して、検索開始ボタン９１５が押下されると、検索テキストボックス９１４に入力された文字列による検索が開始される。
【００６９】
図５の説明に戻り、次に、ユーザ操作により、検索テキストボックス９１４に文字列が入力され、検索開始ボタン９１５が押下されると、携帯端末２の閲覧実行部２９１は、第１端末通信部２１を介して管理サーバ４に、検索要求を送信する（ステップＳ１１１）。検索要求には、検索開始ボタン９１５が押下された際に検索テキストボックス９１４に入力された文字列が含まれる。
【００７０】
管理サーバ４の電話帳検索部４４３は、ＩＰ網接続部４２を介して検索要求を受信すると、データベース６に、検索要求に含まれる文字列とともにデータベース検索要求を送信する（ステップＳ１１２）。データベース６は、受信したデータベース検索要求に従い、受信した文字列に対応する、氏名、ユーザＩＤ及び内線番号を検索する（ステップＳ１１３）。データベース６は、検索結果としてユーザＩＤ及び氏名を、管理サーバ４に送信する（ステップＳ１１４）。なお、管理サーバ４の電話帳検索部４４３が行う検索要求の送信と、検索結果の受信は、ディレクトリサービスにアクセスするためのプロトコルであるＬＤＡＰ（Lightweight Directory Access Protocol）を用いて実行される。
【００７１】
管理サーバ４の電話帳検索部４４３は、ＩＰ網接続部４２を介して検索結果を受信すると、検索要求を送信した携帯端末２に、受信した検索結果を送信する（ステップＳ１１５）。
【００７２】
携帯端末２の閲覧実行部２９１は、第１端末通信部２１を介して管理サーバ４から検索結果を受信し、受信した検索結果に基づいて電話帳検索結果画面を表示部２５に表示する（ステップＳ１１６）。ここで、図１０に示す電話帳検索結果画面１０００について説明する。電話帳検索結果画面１０００には、検索テキストボックス１００１及び検索結果１００２が表示される。ユーザが、操作部２４を介して、検索結果１００２のいずれか一つが指定されると、ユーザの携帯端末２と指定された検索結果１００２に対応する携帯端末２又は固定内線電話１３とが内線接続される。
【００７３】
検索テキストボックス１００１は、電話帳検索画面９１０に表示された検索テキストボックス９１４と同一の表示である。検索結果１００２には、閲覧実行部２９１によって検索結果として受信した氏名が表示される。
【００７４】
内線電話プログラムを記憶した携帯端末２は、上述した携帯端末２と管理サーバ４との接続処理により、異なる移動通信事業者が管理及び運営する内線管理システムへの接続が可能となる。また、携帯端末２は、上述した電話帳検索処理により、電話帳管理テーブルを端末記憶部２３に記憶させる必要がなく、携帯端末２の紛失等による電話帳管理テーブルの情報漏えいを未然に防止することができる。
【００７５】
図６は、内線電話通信システム１の動作シーケンスの一例を示す図である。図６に示す動作シーケンスは、携帯端末２と他の携帯端末２との間の内線接続処理の一例である。
【００７６】
以下に説明する動作シーケンスは、携帯端末２及び管理サーバ４において、予め各装置の記憶部に記憶されているプログラムに基づき主に各装置の制御部により各装置の各要素と協働して実行される。
【００７７】
最初に、携帯端末２の閲覧実行部２９１は、電話帳検索結果画面を表示部２５に表示する（ステップＳ２０１）。このステップＳ２０１は、図５に示したシーケンス図におけるステップＳ１１６と同一の処理である。
【００７８】
図１０に示す電話帳検索結果画面１０００に表示された検索結果１００２のいずれか一つが指定されると、携帯端末２の閲覧実行部２９１は、内線接続要求を、第１端末通信部２１を介して管理サーバ４に送信する（ステップＳ２０２）。内線接続要求は、指定された氏名に対応するユーザＩＤと携帯端末２の外線電話番号とを含む。
【００７９】
管理サーバの内線接続部４４４は、ＩＰ網接続部４２を介して内線接続要求を携帯端末２から受信すると、内線接続要求に含まれるユーザＩＤを含む接続先検索要求をデータベース６に送信する（ステップＳ２０３）。
【００８０】
データベース６は、管理サーバ４から受信した接続先検索要求に含まれるユーザＩＤに基づいて電話帳管理テーブルから内線番号を検索結果として取得する（ステップＳ２０４）。データベース６は、検索結果として取得した内線番号を管理サーバ４に送信する（ステップＳ２０５）。
【００８１】
管理サーバ４の内線接続部４４４は、取得した内線番号に対応する他の携帯端末２に、内線接続要求を送信した携帯端末２との内線接続の接続要求を送信する（ステップＳ２０６）。他の携帯端末２から接続が了承されると、携帯端末２と他の携帯端末２とが内線接続する（ステップＳ２０７）。内線接続が終了すると、接続の終了（開放要求）が送信される（ステップＳ２０８）。
【００８２】
上述した携帯端末２と他の携帯端末２との内線接続処理において、発呼側の携帯端末２と着呼側の携帯端末２が、ともに携帯端末２ａである場合、接続先制御部４５２は、移動体通信網７ａと管理サーバ４とを電話通信網１６を介して内線接続する。また、発呼側の携帯端末２及び着呼側の携帯端末２の両者、又は、いずれか一方が、携帯端末２ｂ又は２ｃである場合、接続先制御部４５２は、移動体通信網７ｂ又は７ｃと管理サーバ４とをＩＰ通信網を介して内線接続する。このように、内線電話システム３を提供する移動通信事業者Ａの携帯端末２ａ同士の内線通話は、電話通信網１６を使用するため、音声品質を保つことができる。
【００８３】
上述した内線接続処理により、電話通信網１６に比べて音声品質は低下するものの、携帯端末２ａは、他移動通信業者Ｂ，Ｃの携帯端末２ｂ，２ｃとの内線接続が可能となる。また、移動通信業者Ａが運営及び管理する内線電話システム３によって、他移動通信業者Ｂ，Ｃの携帯端末２ｂ，２ｃ同士の内線接続が可能となる。
【００８４】
図７は、内線電話通信システム１の動作シーケンスの一例を示す図である。図７に示す動作シーケンスは、携帯端末２と固定内線電話１３との間の内線接続処理の一例である。
【００８５】
以下に説明する動作シーケンスは、携帯端末２及び管理サーバ４において、予め各装置の記憶部に記憶されているプログラムに基づき主に各装置の制御部により各装置の各要素と協働して実行される。
【００８６】
図７に示す動作シーケンスのステップＳ３０１〜Ｓ３０５は、図６に示す動作シーケンスのステップＳ２０１〜Ｓ２０５と同一であるため、その説明を省略する。
【００８７】
管理サーバ４の内線接続部４４４は、ステップＳ３０５において検索結果として取得した内線番号が固定内線電話１３に対応する場合、企業ＰＢＸ１２に固定内線電話１３への内線接続の接続要求を内線番号とともに送信する（ステップＳ３０６）。企業ＰＢＸ１２は、受信した接続要求を、ともに受信した内線番号に対応する固定内線電話１３に送信する（ステップＳ３０７）。
【００８８】
固定内線電話１３から接続が了承されると、携帯端末２と固定内線電話１３とが内線接続する（ステップＳ３０８）。内線接続が終了すると、接続の終了（開放要求）が送信される（ステップＳ３０９）。
【００８９】
上述した携帯端末２と固定内線電話１３との内線接続処理において、発呼側の携帯端末２が、携帯端末２ａである場合、接続先制御部４５２は、移動体通信網７ａと管理サーバ４とを電話通信網１６を介して内線接続する。また、発呼側の携帯端末２が、携帯端末２ｂ又は２ｃである場合、接続先制御部４５２は、移動体通信網７ｂ又は７ｃと管理サーバ４とをＩＰ通信網を介して内線接続する。このように、内線電話システム３を提供する移動通信事業者Ａの携帯端末２ａと固定内線電話１３との内線通話は、電話通信網１６を使用するため、音声品質を保つことができる。また、上述した内線接続処理により、電話通信網１６に比べて音声品質は低下するものの、固定内線電話１３は、他移動通信業者Ｂ，Ｃの携帯端末２ｂ，２ｃとの内線接続が可能となる。
【００９０】
なお、固定内線電話１３が発呼する場合、固定内線電話１３のメモリ（図示せず）に記憶された内線電話情報に基づいて、企業ＰＢＸ１２を介して管理サーバ４に接続され、上述のステップＳ３０３〜Ｓ３０５が実行される。内線番号に対応する着呼端末が、携帯端末２である場合は、図６のステップＳ２０６〜Ｓ２０８が実行される。また、内線番号に対応する着呼端末が、固定内線電話１３である場合は、上述のステップＳ３０６〜Ｓ３０９が実行される。
【００９１】
図８は、内線電話通信システム１の動作シーケンスの一例を示す図である。図８に示す動作シーケンスは、ＰＣ１４と管理サーバ４とによる電話帳編集処理の一例である。
【００９２】
以下に説明する動作シーケンスは、ＰＣ１４及び管理サーバ４において、予め各装置の記憶部に記憶されているプログラムに基づき主に各装置の制御部により各装置の各要素と協働して実行される。
【００９３】
ＰＣ１４は、ユーザの操作指示に応じて、管理サーバ４に編集画面要求を送信する（ステップＳ４０１）。管理サーバ４は、ＩＰ網接続部４２を介してＰＣ１４から編集画面要求を受信すると、編集画面を表示するための編集画面表示データをＰＣ１４に送信する（ステップＳ４０２）。ＰＣ１４は、管理サーバ４から編集画面表示データを受信すると、表示部（図示せず）に編集画面を表示する。
【００９４】
ここで、図１１（ａ）に示す編集画面１１００について説明する。編集画面１１００には、新規登録ボタン１１０１、登録変更ボタン１１０２、及び登録削除ボタン１１０３が表示される。ユーザの指定操作に応じて、新規登録ボタン１１０１が押下されると、図１１（ｂ）に示される新規登録画面１１１０が表示される。ユーザの指定操作に応じて、登録変更ボタン１１０２が指定されると、図１２に示される変更選択画面１２００が表示される。ユーザの指定操作に応じて、登録削除ボタン１１０３が指定されると、削除選択画面（図示せず）が表示される。
【００９５】
新規登録画面１１１０を表示するための表示データ、変更選択画面１２００を表示するための表示データ及び削除選択画面を表示するための表示データは、編集画面表示データに含ませてもよい。また、これらの表示データは、ユーザの指定操作に応じた、新規登録ボタン１１０１、登録変更ボタン１１０２、及び登録削除ボタン１１０３の押下によって、管理サーバ４に要求するようにしてもよい。
【００９６】
図１１（ｂ）に示す新規登録画面１１１０には、本社／支社を選択するためのドロップダウンメニュー１１１１、所属を選択するためのドロップダウンメニュー１１１２、氏名を入力するための氏名テキストボックス１１１３、内線番号を入力するための内線番号テキストボックス１１１４、外線電話番号を入力するための外線番号テキストボックス１１１５、登録ボタン１１１６及びキャンセルボタン１１１７が表示される。
【００９７】
ドロップダウンメニュー１１１１には、内線電話通信システム１を使用する企業における本社、支社、支店又はグループ会社等の名称が選択できるように表示される。ドロップダウンメニュー１１１２には、内線電話通信システム１を使用する企業における本社、支社、支店又はグループ会社毎の組織名称が選択できるように表示される。氏名テキストボックス１１１３、内線番号テキストボックス１１１４及び外線番号テキストボックス１１１５は、それぞれ氏名、内線番号及び外線電話番号が入力できるように表示される。
【００９８】
ユーザの操作指示に応じて、登録ボタン１１１６が押下されると、ドロップダウンメニュー１１１１及びドロップダウンメニュー１１１２において選択された項目、並びに、氏名テキストボックス１１１３、内線番号テキストボックス１１１４及び外線番号テキストボックス１１１５において入力された項目を含む電話帳編集要求が、管理サーバ４に送信される。
【００９９】
図１２に示す変更選択画面１２００には、登録内容を変更するユーザの氏名を選択可能に表示したユーザ選択部１２０１、ユーザ選択部１２０１の中のユーザから一のユーザを選択する選択カーソル１２０２及び選択ボタン１２０３が表示される。ユーザ選択部１２０には、データベース６に記憶される電話帳管理テーブルに含まれる全てのユーザの氏名が表示される。選択カーソル１２０２によって、ユーザ選択部１２０によって表示されたユーザのうちの一のユーザを選択することができる。選択カーソル１２０２によって、ユーザが選択され、選択ボタン１２０３がユーザの指定操作によって押下されると、図１１（ｂ）の新規登録画面１１１０が表示される。なお、この場合、新規登録画面１１１０の画面タイトルは、「電話帳の新規登録」から「電話帳の変更」に変更されて表示される。
【０１００】
表示された新規登録画面１１１０の本社／支社を選択するためのドロップダウンメニュー１１１１、所属を選択するためのドロップダウンメニュー１１１２、氏名を入力するための氏名テキストボックス１１１３、内線番号を入力するための内線番号テキストボックス１１１４、外線電話番号を入力するための外線番号テキストボックス１１１５には、それぞれ選択されたユーザの情報が表示される。ユーザの選択又は／及び入力操作によって、登録内容が変更され、ユーザの操作指示に応じて、登録ボタン１１１６が押下されると、選択又は／及び入力された項目を含む電話帳編集要求が、管理サーバ４に送信される。
【０１０１】
削除選択画面は、図１２に示す変更選択画面１２００と同様の画面であり、画面タイトルの「電話帳の変更」が、「電話帳から削除」に変更されて表示される。選択カーソル１２０２によって、ユーザが選択され、選択ボタン１２０３がユーザの指定操作によって押下されると、削除対象として選択されたユーザのユーザＩＤを含む電話帳編集要求が管理サーバ４に送信される。
【０１０２】
上述したように、ＰＣ１４が管理サーバ４に電話帳編集要求を送信すると（ステップＳ４０４）、管理サーバ４は、電話帳編集要求を受信し、受信した電話帳編集要求をデータベース６に送信する（ステップＳ４０５）。データベース６は、受信した電話帳編集要求及び電話帳編集要求に含まれる各種情報に基づいて、データベース６を編集する（ステップＳ４０６）。
【０１０３】
データベース６は、編集した結果を管理サーバ４に送信し（ステップＳ４０７）、管理サーバ４は、受信した編集結果を含めた編集結果画面表示データをＰＣ１４に送信する（ステップＳ４０８）。ＰＣ１４は、受信した編集結果表示データに基づいて編集結果画面を表示部に表示する。
【０１０４】
上述したＰＣ１４と管理サーバ４とによる電話帳編集処理により、内線電話通信システム１のユーザは、各自で電話帳管理テーブルをリバイスする必要がなく、内線電話通信システム１を使用する企業の人事管理部門が、電話帳テーブルを管理することができる。
【０１０５】
［第２実施形態］
第２実施形態では、携帯端末２’は、自身の位置情報を受信し、受信した位置情報を管理サーバ４’に送信する機能を有する。携帯端末２’と内線接続する他の携帯端末２’及び固定内線電話１３’は、管理サーバ４’から送信された携帯端末２’の位置情報を表示することができる。
【０１０６】
図１３は、自身の位置情報を受信し、受信した位置情報を管理サーバ４’に送信する機能を有する携帯端末２’の概略構成の一例を示す図である。図１３において、図２に示す携帯端末２と同じ構成については同じ符号を付し、その説明を省略する。
【０１０７】
携帯端末２’は、図２に示した各部に加えて、さらに位置情報受信部３０’を有する。位置情報受信部２７’は、航法衛星から受信した信号に基づいて携帯端末２’の位置情報を受信するＧＰＳ受信機を有する。
【０１０８】
端末処理部２９’は、図２に示す端末処理部２９が有する各部に加えて、位置情報送信部２９４’を有する。位置情報送信部２９４’は、位置情報受信部３０’が受信した位置情報を管理サーバ４’に送信する。
【０１０９】
図１４は、携帯端末２’から位置情報を受信する管理サーバ４’の概略構成の一例を示す図である。図１４において、図３に示す管理サーバ４と同じ構成については同じ符号を付し、その説明を省略する。
【０１１０】
管理サーバ４’の処理部４４’は、図３に示した各部に加えて、さらに位置情報管理部４４５’及び地図情報提供部４４６’を有する。位置情報管理部４４５’は、ＩＰ網接続部４２を介して携帯端末２’から受信した携帯端末２’の位置情報を取得する。また、位置情報管理部４４５’は、複数の基地局８から受信した位置情報に基づいて算出した携帯端末２’ａの位置情報を取得する。位置情報管理部４４５’は、携帯端末２’ａの位置情報は、携帯端末２’ａから受信した位置情報と複数の基地局８から受信した位置情報に基づいて算出した位置情報との両者の情報に基づいて算出する。なお、管理サーバ４’は、他移動通信事業者から位置情報を取得できないため、携帯端末２’ｂ及び２’ｃの位置情報は、携帯端末２’ｂ及び２’ｃから受信した位置情報である。
【０１１１】
位置情報管理部４４５’は、携帯端末２’の位置情報をデータベース６に送信し、データベース６は、携帯端末２’の内線情報に対応付けて受信した位置情報を蓄積する。
【０１１２】
携帯端末２’又は固定内線電話１３’が、他の携帯端末２’と内線接続した場合、管理サーバ４’の地図情報提供部４４６’は、他の携帯端末２’の位置情報を示すマークが重畳表示された地図情報を、他の携帯端末２’と内線接続した携帯端末２’又は固定内線電話１３’に送信する。すなわち、地図情報提供部４４６’は、他の携帯端末２’の位置情報をデータベース６から受信し、受信した位置情報を示すマークを地図画像上に重畳表示した地図情報を作成し、作成した地図情報を送信する。
【０１１３】
なお、地図画像は、管理サーバ４’の記憶部４３に記憶した地図画像を使用しても、外部のＷｅｂ（World Wide Web）地図サイトの地図画像を取得してもよい。また、地図情報提供部４４６’が地図情報を送信するタイミングは、内線接続した場合の他、ユーザの携帯端末２’の操作に応じて行うようにしてもよい。その場合、位置を知りたい携帯端末２’を指定することができる。
【０１１４】
図１５は、携帯端末２’又は固定内線電話１３’が、他の携帯端末２’と内線接続した場合に、他の携帯端末２’の位置情報を示すマークを地図画像上に重畳表示した地図情報を表示した地図表示画面１５００の一例である。
【０１１５】
地図表示画面１５００には、内線接続先の他の携帯端末２’のユーザを表示する内線接続先情報表示１５０１、地図画像１５０２及び内線接続先の他の携帯端末２’の位置情報を示すマーク１５０３が表示される。
【０１１６】
他の携帯端末２’が、移動通信事業者Ａの携帯端末である場合は、高精度の位置情報に基づくマーク１５０３が地図画像上に重畳表示され、他の携帯端末２’が、他移動通信事業者Ｂ，Ｃである場合は、ＧＰＳ信号に基づく位置情報が地図画像上に重畳表示される。
【０１１７】
第２実施形態では、他の携帯端末２’が、自身の位置情報を管理サーバ４’に送信し、他の携帯端末２’と内線接続する携帯端末２’及び固定内線電話１３’が、管理サーバ４’から受信した他の携帯端末２’の位置情報を表示することができるため、他の携帯端末２’を所有する社員と内線通話する場合、当該社員の位置を確認することができ、極めて有用な内線電話システムを提供することができる。なお、他の携帯端末２’と内線接続する場合は、位置情報を通知するように構成するが、他の携帯端末２’又は固定電話と外線通話する場合は、位置情報の表示を許可しない。このように構成することで、社員間との通話では、位置情報の共有を実現しつつ、社員以外との通話では、位置情報の流出を防ぐことが可能となる。
【０１１８】
以上説明してきたように、内線電話システム３は、移動通信事業者Ｂ，Ｃの移動体通信網７ｂ，７ｃと接続可能な携帯端末２ｂ，２ｃ及び移動通信事業者Ａの移動体通信網７ａと接続可能な携帯端末２ａと、内線通信網１１と接続される固定内線電話１３とを接続し、管理サーバ４は、移動体通信網７ｂ，７ｃとＩＰ通信網１５を介して接続するとともに、移動体通信網７ａと電話通信網１６を介して接続し、データベース６は、携帯端末２ａ，２ｂ及び２ｃ、並びに、固定内線電話１３の内線番号情報を記憶し、呼処理サーバ５は、管理サーバ４と接続され且つ内線通信網１１と接続する、そして、データベース６に記憶された携帯端末２ｂ，２ｃの内線番号情報を用いて、固定内線電話１３からの音声通信を、ＩＰ通信網１５を介して移動体通信網７ｂ，７ｃの携帯端末２ｂ，２ｃと接続し、データベース６に記憶された携帯端末２ａの内線番号情報を用いて、固定内線電話１３からの音声通信を電話通信網１６を介して移動体通信網７ａの携帯端末２ａと接続する。これにより、異なる移動通信事業者の携帯端末同士を内線接続する内線電話システムを提供し、内線電話システムの利便性を向上させることが可能となる。
【０１１９】
なお、本発明は、本実施形態に限定されるものではない。例えば、移動体通信網７ａと管理サーバ４とを、電話通信網１６の他にＩＰ網を介して接続し、所定の条件に応じて、電話通信網１６及びＩＰ網の何れか一方を用いて携帯端末２ａからの内線接続を行うように制御してもよい。
【０１２０】
例えば、電話通信網が輻輳している場合、及び／又は、緊急地震速報等の緊急災害情報が送信されている場合において、内線接続部４４４は、ＩＰ通信網を介して内線接続するように制御してもよい。このような制限を行うことにより、管理サーバ４及び電話通信網への負荷の大幅な増大を防止できる。
【０１２１】
また、管理サーバ４’の地図情報提供部４４６’は、電話通信網が輻輳している場合、及び／又は、緊急地震速報等の緊急災害情報が送信されている場合において、地図情報の送信を行わないように制御してもよい。このような制限を行うことにより、管理サーバ４及びＩＰ網への負荷の大幅な増大を防止できる。
【０１２２】
当業者は、本発明の精神及び範囲から外れることなく、様々な変更、置換及び修正をこれに加えることが可能であることを理解されたい。
【符号の説明】
【０１２３】
１    内線電話通信システム１
２，２’    携帯端末
３    内線電話システム
４，４’    管理サーバ
５    呼処理サーバ
６    データベース
７    移動体通信網
８    基地局
９    交換機
１０    ゲートウェイ
１１    内線通信網
１２    企業ＰＢＸ
１３，１３’    固定内線電話
１４    パーソナルコンピュータ（ＰＣ）
１５    ＩＰ通信網
１６    電話通信網
【図１】
2016178383.tif 000003
【図２】
2016178383.tif 000004
【図３】
2016178383.tif 000005
【図４】
2016178383.tif 000006
【図５】
2016178383.tif 000007
【図６】
2016178383.tif 000008
【図７】
2016178383.tif 000009
【図８】
2016178383.tif 000010
【図９】
2016178383.tif 000011
【図１０】
2016178383.tif 000012
【図１１】
2016178383.tif 000013
【図１２】
2016178383.tif 000014
【図１３】
2016178383.tif 000015
【図１４】
2016178383.tif 000016
【図１６】
2016178383.tif 000017
【図１５】
2016178383.tif 000018